(57)【要約】      （修正有）【課題】容器の軸線が所望の位置に配置され且つ容器が検査のために安定しており且つ検査のために容器の輪郭の妨げられない視野が可能であるように容器を検査ステーションに配置する。【解決手段】当該アダプタ１８は、前記コンベア構造と係合すると、当該コンベアが前記容器アダプタを検査ステーションへ給送するように操作される。当該容器アダプタは、水平頂面と垂直軸線２２とを有しており、当該容器アダプタの垂直軸線と合致した心合わせ軸線を有している磁石が頂面に取り付けられている。当該検査対象物は更に、前記磁石の頂部に配置される透明なボトル２０を含んでいる。当該ボトルは底部に金属材料を備えていて、前記磁石が、透明なボトルの軸線が前記磁石の心合わせ軸線と合致するように配置されるように前記金属材料上で作動するようになされている。【選択図】図１
2009139378.tif 000002
【特許請求の範囲】
【請求項１】
垂直な検査軸線に対して垂直な軸線を有する容器の検査を行うための検査装置を備えている検査ステーションと、前記容器の側壁と係合し且つ当該容器の軸線が前記検査軸線と合致する前記検査ステーションへ前記容器を移動させるための構造を備えている容器コンベア装置とを備えている容器を検査するための装置によって行われる小さい容器等の検査を補助するための装置であり、
垂直軸線を有し且つ前記容器コンベア装置構造と係合したときに前記垂直軸線が前記検査軸線と合致する検査ステーションへと前記コンベア装置構造によって給送されるように当該コンベア装置構造によって操作される構造とされ且つ水平な頂面を有する容器アダプタと、
当該容器アダプタの前記水平な頂面上又は下に取り付けられ且つ前記容器アダプタの垂直軸線と合致している心合わせ軸線を有する磁石と、
前記容器内部の底部に配置された磁気的に吸引可能な材料であり、当該磁気的に吸引可能な材料を備えた前記容器が前記磁石の上方の前記容器アダプタの前記水平頂部上に配置されたときに、前記磁石が前記磁気的に吸引可能な材料に作用して前記容器の軸線が前記磁石の中心軸線と合致するように配置せしめられるようになされた前記磁気的に吸引可能な材料と、を含む装置。
【請求項２】
請求項１に記載の装置であり、
前記磁気的に吸引可能な材料が鉄系球体を含んでいることを特徴とする装置。
【請求項３】
請求項１に記載の装置であり、
前記容器アダプタが円筒形の外形形状を有していることを特徴とする装置。
【請求項４】
請求項１に記載の装置であり、
前記磁石が前記容器アダプタの前記水平頂面上又は下に心合わせされて配置されていることを特徴とする装置。
【請求項５】
請求項１に記載の装置であり、
前記磁石が、所望の心合わせ作用をもたらすように前記容器の前記水平頂面上又は下に配置されている複数の磁石を含んでいることを特徴とする装置。
【請求項６】
垂直な検査軸線に対して垂直な軸線を有する容器の検査を行うための検査装置を備えている検査ステーションと、前記容器の側壁と係合し且つ当該容器の軸線が前記検査軸線と合致する前記検査ステーションへ前記容器を移動させるための構造を備えている容器コンベア装置とを備えている容器を検査するための装置によって行われる小さい容器等の検査を補助するための方法であり、
垂直軸線を有し且つ前記容器コンベア装置構造と係合したときに前記垂直軸線が前記検査軸線と合致する検査ステーションへと給送されるようになされ且つ水平頂面を有している容器アダプタを準備することと、
前記容器アダプタの前記水平な頂面上又は下に、前記容器アダプタの垂直軸線と合致している心合わせ軸線を有する磁石を取り付けることと、
容器の内側の底部に磁気的に吸引可能な材料を配置することと、
前記容器アダプタの頂部内に前記磁気的に吸引可能な材料を備えた前記容器を前記磁石の上方に配置し、前記磁石が前記磁気的に吸引可能な材料に作用し、前記容器の軸線を前記磁石の心合わせ軸線と合致するように配置させるようにすることと、からなる方法。
【発明の詳細な説明】
【技術分野】
【０００１】
本発明は、ボトル（容器）の欠陥を検査する装置に関する。
【背景技術】
【０００２】
透明な容器は、一般的には、容器の軸線を検査動作の軸線と合致するように位置決めするために、検査位置において係合せしめられる。比較的大きな容器には係合されない領域が常に存在し、その結果、これらの露呈された領域の検査が可能である。しかしながら、ある種の状況においては、容器は、外壁の係合が検査を事実上阻止するほど小さい場合がある。
【特許文献１】なし
【非特許文献１】なし
【発明の開示】
【発明が解決しようとする課題】
【０００３】
従って、本発明は、容器を、当該容器の軸線が所望の位置に配置され且つ容器が検査のために安定しており且つ非接触検査（検査、測定等）のために容器の輪郭の妨げられない視野が可能であるような状態で検査ステーションに提供することを目的とする。
【課題を解決するための手段】
【０００４】
本発明による装置は、垂直な検査軸線に対して垂直な軸線を有する容器の検査を行うための検査装置を備えている検査ステーションと、前記容器の側壁と係合し且つ当該容器の軸線が前記検査軸線と合致する前記検査ステーションへ前記容器を移動させるための構造を備えている容器コンベア装置とを備えている容器を検査するための装置によって行われる小さい容器等の検査を補助するための装置であり、
垂直軸線を有し且つ前記容器コンベア装置構造と係合したときに前記垂直軸線が前記検査軸線と合致する検査ステーションへと前記コンベア装置構造によって給送されるように当該コンベア装置構造によって操作される構造とされ且つ水平な頂面を有する容器アダプタと、
当該容器アダプタの前記水平な頂面上又は下に取り付けられ且つ前記容器アダプタの垂直軸線と合致している心合わせ軸線を有する磁石と、
前記容器内部の底部に配置された磁気的に吸引可能な材料であり、当該磁気的に吸引可能な材料を備えた前記容器が前記磁石の上方の前記容器アダプタの前記水平頂部上に配置されたときに、前記磁石が前記磁気的に吸引可能な材料に作用して前記容器の軸線が前記磁石の中心軸線と合致するように配置せしめられるようになされた前記磁気的に吸引可能な材料とによって構成されている。
【０００５】
また、本発明による方法は、垂直な検査軸線に対して垂直な軸線を有する容器の検査を行うための検査装置を備えている検査ステーションと、前記容器の側壁と係合し且つ当該容器の軸線が前記検査軸線と合致する前記検査ステーションへ前記容器を移動させるための構造を備えている容器コンベア装置とを備えている容器を検査するための装置によって行われる小さい容器等の検査を補助するための方法であり、
垂直軸線を有し且つ前記容器コンベア装置構造と係合したときに前記垂直軸線が前記検査軸線と合致する検査ステーションへと給送されるようになされ且つ水平頂面を有している容器アダプタを準備することと、
前記容器アダプタの前記水平な頂面上又は下に、前記容器アダプタの垂直軸線と合致している心合わせ軸線を有する磁石を取り付けることと、
容器の内側の底部に磁気的に吸引可能な材料を配置することと、
前記容器アダプタの頂部内に前記磁気的に吸引可能な材料を備えた前記容器を前記磁石の上方に配置し、前記磁石が前記磁気的に吸引可能な材料に作用し、前記容器の軸線を前記磁石の心合わせ軸線と合致するように配置させるようにすることとから構成されている。
【発明の実施の形態】
【０００６】
本発明のその他の目的及び利点は、本明細書の以下の部分及び添付図面から明らかとなるであろう。添付図面は、特許法の規定に従って本発明の原理を組み入れている現在のところ好ましい実施形態を図示している。
【０００７】
図１には、１つの検査装置の概略が示されている。コンベア１０及びボトル押し出し部材（ロボットプッシャ）１２によって作られているコンベア装置は、（どのような色及び形状ともすることができる）ボトルを多数の検査ステーションに位置決めする。本発明は、押し出し部材に限定されない。これらの装置は、検査されるボトルの移動を制御するために通常使用される如何なる取り扱い構造とすることもできる。典型的な検査ステーションがプラグ／ディップ検査ステーション１４及び側部／壁検査ステーション１６として示されている。プラグ／ディップ検査ステーション１４は、ボトルの口部の内側及び外側の円筒面の大きさ（直径）を測定し、側部／壁検査ステーション１６はボトルの側壁の寸法を測定する。
【０００８】
本願においては、ボトルは、容器アダプタ１８と検査されるボトル２０とを含むボトルアセンブリに置き換えられている。容器アダプタ１８は、ロボット型の押し出し部材１２が、一般的に検査される同じサイズのボトルと同じ方法で容器アダプタ１８を操作することを可能にする構造を有している。容器アダプタの軸線２２は、対応するボトルの軸線である。容器アダプタ１８（図２）は、検査されるボトル２０を支持するための平らな頂面２６を有している頂部２４を備えている。容器アダプタ１８の頂部には、心合わせ磁石２８が取り付けられている。当該心合わせ磁石は局部的な心合わせ作用を有し、当該作用によって、磁場内に配置されている鉄系対象物は容器アダプタ１８の垂直中心軸線２２と合致した垂直中心線に厳密に整合されるであろう。金属材料３０（図示されている鉄系対象物又は球体）が検査されるボトル２０内に配置されており、ボトル２０は、容器アダプタ１８の頂面の心合わせ磁石部分上の中心に配置されている。心合わせ磁石２８と金属球体３０との間の吸引によって、ボトル２０は容器アダプタ１８の頂面上に保持され、検査されるボトル２０の軸線が心合わせ磁石の垂直中心線に対して再配置され且つボトルがこのような合致状態で保持される。粒径及び金属材料の量は、所望の結果を得るように規定することができる。磁石は、所望の心合わせ作用を提供するように配列された単一の又は多数の磁石とすることができる（４つの平らな矩形磁石を使用することができる）。明確化のために、検査される物品を説明するために“ボトル”という用語が使用され、アダプタを規定するために“容器”という用語が使用されている。ガラス成形技術においては、これらの用語は互換的に使用されることが多い。
【図面の簡単な説明】
【０００９】
【図１】図１は、ボトルを一連の検査ステーションへ搬送するコンベアを備えている検査ステーションの斜視図である。
【図２】図２は、アダプタによって支持されている検査されるボトルの拡大正面断面図である。
【符号の説明】
【００１０】
１０  コンベア、
１２  ボトル押し出し部材（ロボットプッシャ）、
１４  プラグ／ディップ検査ステーション、
１６  側部／壁検査ステーション、
１８  容器アダプタ、
２０  ボトル、
２２  容器アダプタの軸線、
２４  頂部、
２６  平らな頂面、
２８  心合わせ磁石、
３０  金属材料
【図１】
2009139378.tif 000003
【図２】
2009139378.tif 000004